(57)【要約】【課題】接着ラベルによって包装材の巻き終わり部分を固定していても、容易に開封することが可能な棒状食品包装体を提供すること。【解決手段】この棒状食品包装体は、シート状食品１０を収容した略長方形の袋状の本体の左右側部に袖部１２ａを設けてなる包装材と、包装材に巻かれた棒状食品と、包装材の巻き終わり部分を固定する接着ラベル３からなり、包装材の本体の下辺１１２を巻き終わり部分としており、外フィルム部１１５には、間に接着ラベル３を挟んで上辺１１１付近から下辺１１２付近に至る２本のカットテープ１１７，１１８を設けているとともに、接着ラベル３の位置より上辺側に、外フィルム部１１５が前記カットテープ１１７，１１８に沿って引き裂かれるように案内するための開封操作片１１９を設けたものとしている。【選択図】図４
2010013160.tif 000002
【特許請求の範囲】
【請求項１】
シート状食品を収容した略長方形の袋状の本体の左右側部に袖部を設けてなる包装材と、包装材に巻かれた棒状食品と、包装材の巻き終わり部分を固定する接着ラベルからなり、包装材はその袖部が棒状食品の左右端部を覆い、本体の下辺を巻き終わり部分としており、包装材の本体は、外フィルム部と内フィルム部とで構成され、内フィルム部は開封時に左右に分離する第１片及び第２片からなるものとし、外フィルム部には、間に接着ラベルを挟んで上辺付近から下辺付近に至る２本のカットテープを設けているとともに、接着ラベルの位置より上辺側に、外フィルム部が前記カットテープに沿って引き裂かれるように案内するための開封操作片を設けていることを特徴とする棒状食品包装体。
【請求項２】
２本のカットテープが上下方向に延びる平行な直線状である請求項１記載の棒状食品包装体。
【請求項３】
２本のカットテープがそれぞれ左右方向の外側に膨らむように設けられている請求項１記載の棒状食品包装体。
【発明の詳細な説明】
【技術分野】
【０００１】
この発明は、米飯等の食材を棒状に加工した棒状食品と、海苔巻等のシート状食品とが分離された状態で包装され、食するときに簡単な操作で棒状食品にシート状食品を巻いた状態にすることができるようにした棒状食品包装体に関するものである。
【背景技術】
【０００２】
従来、巻き寿司等の棒状食品用包装体としては、特許文献１に記載のものがある。この棒状食品用包装体は、外フィルム１の長辺側の両側部に、一対の内フィルム２，３を外フィルム１の幅方向の略中央にて対向辺2a,3a どうしを重ね合わせた状態で外フィルム１の周囲と接合して袋状に形成し、さらに外フィルム１と内フィルム２，３の間にシート状食品４を挟み、さらに外フィルム１の短辺側端に開封用切り込み1a,1b,1cを複数形成した棒状食品用包装材であって、内フィルム２，３が、内側面にシリコンコートされ、且つ外フィルム１の長辺側端より突出する幅広のものであり、さらに内フィルム２，３の外フィルム１より突出した部分2b,3b で内フィルム２，３上に乗せた棒状食材５の端面を包被するようにしている。
【０００３】
この特許文献１に記載の棒状食品用包装体は、その図６に示されているように、開封用切り込み1bを略中央に、開封用切り込み1cを端付近に形成し、開封用切り込み1b,1c と同一幅で綺麗に平行に裂けるようになっているので、外フィルム１を裂くと、シート状食品４が表れ、残された外フィルム１と内フィルム３を棒状食品の軸方向外側に引くと、棒状食材５の上にシート状食品４が巻かれた状態にすることができる。
【０００４】
しかしながら、コンビニエンスストア等で販売される棒状食品用包装体は、商品の価格や製造年月日、バーコード等を印字したサーマルラベル等の接着ラベルによって包装材の巻き終わり部分を固定する場合が多く、その場合は巻き終わり部分の中央に位置する開封用切り込み1bを接着ラベルが覆うことになるため、外フィルム１をうまく引裂くことができない。
【０００５】
また、開封用切り込み1bを避けて比較的細幅の接着テープで包装材の巻き終わり部分を固定するとしても、特許文献１の図６に示されているように、包装材が巻かれたままの状態で開封することになる。この場合は、棒状食品に包装材が巻き付いた状態にあるので、内フィルム２，３の内側面にシリコンコートをしていなければ、フィルムを取り去ることは困難であるが、シリコンコートは安全性の面で好まれないことが多い。
【特許文献１】特開平１１−２０６３２８号公報
【発明の開示】
【発明が解決しようとする課題】
【０００６】
そこで、この発明は、接着ラベルによって包装材の巻き終わり部分を固定していても、容易に開封することが可能な棒状食品包装体を提供することを課題とする。
【課題を解決するための手段】
【０００７】
前記課題を解決するため、この発明は次のような技術的手段を講じている。
【０００８】
この発明の棒状食品包装体は、シート状食品を収容した略長方形の袋状の本体の左右側部に袖部を設けてなる包装材と、包装材に巻かれた棒状食品と、包装材の巻き終わり部分を固定する接着ラベルからなり、包装材はその袖部が棒状食品の左右端部を覆い、本体の下辺を巻き終わり部分としており、包装材の本体は、外フィルム部と内フィルム部とで構成され、内フィルム部は開封時に左右に分離する第１片及び第２片からなるものとし、外フィルム部には、間に接着ラベルを挟んで上辺付近から下辺付近に至る２本のカットテープを設けているとともに、接着ラベルの位置より上辺側に、外フィルム部が前記カットテープに沿って引き裂かれるように案内するための開封操作片を設けたものとしている。
【０００９】
さらに、２本のカットテープが上下方向に延びる平行な直線状であるものとすることができる。
【００１０】
また、２本のカットテープがそれぞれ左右方向の外側に膨らむように設けられているものとすることができる。
【発明の効果】
【００１１】
この発明の棒状食品包装体は、上述のような構成を有しており、２本のカットテープにより外フィルム部を引き裂いて、両カットテープ間の部分を接着ラベルとともに取り去り、包装材を左右に分割した状態にして、包装材を容易に取り去ることができる。しかも、分割された包装材は、上辺側と下辺側が開いて棒状食品に対する巻き付けの力が弱まった状態になるので、各分割された包装材を取り去る際にそれほど強い力を要しない。
【発明を実施するための最良の形態】
【００１２】
この棒状食品包装体は、シート状食品１０を収容した略長方形の袋状の本体１１の左右側部に袖部１２ａ，１２ｂを設けてなる包装材１と、包装材１に巻かれた棒状食品２と、包装材１の巻き終わり部分を固定する接着ラベル３からなり、包装材１はその袖部１２ａ，１２ｂが棒状食品２の左右端部を覆い、本体１１の下辺１１２を巻き終わり部分としており、包装材１の本体１１は、外フィルム部１１５と内フィルム部１１６とで構成され、内フィルム部１１６は開封時に左右に分離する第１片１１６ａ及び第２片１１６ｂからなるものとし、外フィルム部１１５には、間に接着ラベル３を挟んで上辺１１１付近から下辺１１２付近に至る２本のカットテープ１１７，１１８を設けているとともに、接着ラベル３の位置より上辺１１１側に、外フィルム部１１５が前記カットテープ１１７，１１８に沿って引き裂かれるように案内するための開封操作片１１９を設けたものとしている。
【００１３】
以下、この発明の好適な実施形態を、図面を参照して説明する。
【００１４】
図１はこの発明の第１実施形態の棒状食品包装体の包装材１の正面図（外フィルム部１１５側を表側にした状態）、図２は同背面図（内フィルム部１１６側を表側にした状態）、図３は包装材１で棒状食品２を包む様子を示す説明図、図４は完成状態の棒状食品包装体の斜視図、図５はカットテープ１１７，１１８に沿って外フィルム部１１５を引き裂いた状態を示す斜視図、図６は左右に分割された包装材１の一方を取り去る様子を示す正面図、図７は包装材１を取り去って棒状食品２にシート状食品１０を巻いた状態を示す斜視図である。
【００１５】
なお、説明の便宜のため、図１に示した場合を基準にして、包装材１の本体１１の上辺１１１、下辺１１２、左辺１１３、右辺１１４等、上下左右の方向を定めている。
【００１６】
包装材１は、図１、図２等に示したように、略長方形の外フィルム部１１５、外フィルム部１１５に重なる内フィルム部１１６、左右の袖部１２ａ，１２ｂ、及び外フィルム部１１５と内フィルム部１１６とにより形成される収納部１３に収納されるシート状食品１０から構成されている。
【００１７】
外フィルム部１１５と内フィルム部１１６は、それぞれ防湿性を有する同じ大きさの略長方形状のフィルムとしている。内フィルム部１１６を構成する第１片１１６ａと第２片１１６ｂは、互いの内側縁が、左右方向の略中央において１ｃｍ程度の幅で上下に重なるようにしている。
【００１８】
外フィルム部１１５と内フィルム部１１６は、互いの左右両側の縁部と、前記第１片１１６ａ及び第２片１１６ｂが重なる箇所を除く上下両側の縁部が熱溶着等により接合されている。
【００１９】
左右の各袖部１２ａ，１２ｂは、棒状食品２の左右端部を覆うことができる程度の大きさの四角形であり、包装材１の本体１１の上下方向の略中央部において、その内側縁が、内フィルム部１１６の左右の縁部に熱溶着等により接合されている。
【００２０】
外フィルム部１１５は、ＯＰＰ（延伸ポリプロピレン）等の合成樹脂製の透明なフィルムとし、適宜の文字や模様の印刷を施したものとすることができる。内フィルム部１１６や袖部１２ａ，１２ｂは、外フィルム部１１５と同様の素材からなるものとすることができるが、マットフィルムや、高密度ポリエチレンのような、棒状食品２にくっつきにくい素材を用いることが望ましい。
【００２１】
外フィルム部１１５の表面には、２本のカットテープ１１７，１１８が設けられている。この実施形態では、各カットテープ１１７，１１８は、上辺１１１から下辺１１２に至る、外フィルム部１１５の中央から等距離にある互いに平行な直線状としている。
【００２２】
なお、各カットテープ１１７，１１８は、必ずしも上辺１１１、下辺１１２にまで達する必要はなく、後述の開封作業に支障がない程度の長さに外フィルム部１１５が引き裂かれるようになっていればよい。また、両カットテープ１１７，１１８の間隔は、接着ラベル３の左右方向の幅と略同一としているが、より長い間隔としてもよい。
【００２３】
開封操作片１１９は、外フィルム部１１５の下辺１１２付近における左右方向の略中央で、収納部１３の外側に位置している。この実施形態では、両カットテープ１１７，１１８間にわたる左右方向の切れ目を形成して開封操作片１１９を設けている。さらに、この開封操作片１１９は、前記切り目の両端が、各カットテープ１１７，１１８を乗り越え、上辺１１１側に突出した略コ字状とし、より容易に開封できるようにしている。
【００２４】
なお、開封操作片１１９は、パートコート等により、内フィルム部１１６に比較的容易に剥離できるように接着されたものとして、包装材１の密閉性が損なわれないようにすることが望ましい。
【００２５】
外フィルム部１１５と内フィルム部１１６との間には、周縁部の内側にシールされていない領域があり、この部分がシート状食品１０を収容する収納部１３となっている。シート状食品１０は、海苔や、ゼラチンでシート状に形成された鰹節や昆布等であり、適宜選択使用される。シート状食品１０の収納部１３への収容作業は、手作業で行う方法、機械で自動的に挿入する方法のいずれで行ってもよい。
【００２６】
棒状食品２は、円柱状に形成されたものであって、中に具を入れた米飯、練り物、餅等とすることができる。包装材１で棒状食品２を包装するには、内フィルム部１１６を表側にして置き、棒状食品２を、その左右各端部が左右の袖部１２ａ，１２ｂ付近に位置するようにして内フィルム部１１６の上にのせる。
【００２７】
次に、図３に示したように、左右の袖部１２ａ，１２ｂで棒状食品２の左右各端部を覆い、包装材１の本体１１を棒状食品２に巻き付ける。包装材１の本体１１は、下辺１１２側を巻き終わりの部分として、上辺１１１側の上に３ｃｍ程度重なるようにする。
【００２８】
そして、図４に示したように、開封操作片１１９より下辺１１２側の部分から上辺１１１側の露出した部分にわたるように、接着ラベル３を貼り付けて巻き終わりの部分を固定する。接着ラベル３は、２本のカットテープ１１７，１１８の外側にはみ出さないようにして貼り付ける。このようにして棒状食品包装体が完成し、コンビニエンスストア等で販売できる状態となる。
【００２９】
接着ラベル３は、商品名や製造年月日、バーコード等を印字したサーマルラベルであり、外フィルム部１１５に対して剥離可能なものとし、開封時に前記下辺１１２側との接着箇所を剥離して、包装材１の棒状食品２に対する巻き付け状態を解除できるようにしている。あるいは、前記下辺１１２に沿って接着ラベル３を切ることにより、巻き付け状態を解除できるようにしてもよい。
【００３０】
この棒状食品包装体を開封するには、まず開封操作片１１９を指でつまんで上辺１１１側へ引っ張る。開封操作片１１９を引っ張ると、外フィルム部１１５の左右両辺間の中央部が、上辺１１１に至るまで２本のカットテープ１１７，１１８に沿って引き裂かれ、図５に示したように、左右に分割した部分１１５ａ，１１５ｂができ、両カットテープ間の中央部分１１５ｃが分離する。
【００３１】
また、内フィルム部１１６（第１片１１６ａ，第２片１１６ｂ）、袖部１２ａ，１２ｂは、もとから左右に分離しているため、外フィルム部１１５が左右に分割した包装材１は、左右に分割した状態になる。なお、包装材１又は外フィルム部１１５に関し「左右に分割」とは、完全に左右の部分が分離した状態だけでなく、図５のような下辺１１２付近を残して一部がつながっている場合も含まれる。要するに、後述の開封作業において、シート状食品１０を残して、包装材１の左右の部分をそれぞれ取り外せる程度の長さに外フィルム部１１５が引き裂かれていればよい。
【００３２】
接着ラベル３は、前記中央部分１１５ｃに接着したままま、外フィルム部１１５の巻き終わり部分（本体１１の下辺１１２）からはずれるので、この棒状食品包装体は、包装材１の棒状食品２に対する巻き付け状態が解除され、図５に示したように、略中央に棒状食品２が位置しつつ、包装材１を、略Ｕ字状に上辺１１１側と下辺１１２側が開いた状態にすることができる。
【００３３】
そして、この状態の棒状食品包装体を手のひら等に乗せつつ、図６に示したように、シート状食品１０を残して、各分割した包装材１を片方ずつ外方に引っ張って取り去る。この際、各分割した包装材１は、前述の通り上辺１１１側と下辺１１２側が開いて、棒状食品２に対する巻き付けの力が弱まった状態にあるので、それほど強い力で引っ張らなくとも、容易に取り去ることが可能である。
【００３４】
包装材１は、もともと外フィルム部１１５と内フィルム部１１６の互いの周縁部が接合されてつながっているため、分割した外フィルム部１１５ａと内フィルム部１１６の第１片１１６ａ、分割した外フィルム部１１５ｂと内フィルム部１１６の第２片１１６ｂは、それぞれつながっており、一緒に取り去られる。また、左右の各袖部１２ａ，１２ｂも、それぞれ内フィルム部１１６の第１片１１６ａと第２片１１６ｂにつながっているので、一緒に取り去られる。
【００３５】
そして、包装材１をすべて取り去った後、残ったシート状食品１０を棒状食品２に巻きつけることにより、図７に示したように、食べられる状態の棒状食品２が完成する。
【００３６】
図８は、この発明の第２実施形態の棒状食品包装体の包装材１の正面図（外フィルム部１１５側を表側にした状態）である。この実施形態では、外フィルム部１１５上において、２本のカットテープ１１７，１１８がそれぞれ左右方向の外側に膨らむように設けられている。各カットテープ１１７，１１８は曲線状であり、上下方向の中央付近でそれぞれ包装材１の本体１１の左辺１１３、右辺１１４に最も接近し、上辺１１１付近及び下辺１１２付近の左右方向の中央部で互いに交叉する。開封操作片１１９は、下辺１１２側の前記カットテープ１１７，１１８の交差箇所付近に設けられている。
【００３７】
その他の構成は前述の第１実施形態と同様である。この第２実施形態では、開封操作片１１９の幅を接着ラベル３の幅よりも小さくすることが可能であり、より密閉性に優れたものとすることができる。
【００３８】
以上がこの発明の実施形態であるが、この発明は、前述の実施形態に限定されるものではなく、素材、形状、寸法等を適宜変更して実施することができる。
【図面の簡単な説明】
【００３９】
【図１】この発明の第１実施形態の棒状食品包装体の包装材の正面図である。
【図２】この発明の第１実施形態の棒状食品包装体の包装材の背面図である。
【図３】この発明の第１実施形態の棒状食品包装体の完成状態の斜視図である。
【図４】この発明の第１実施形態の棒状食品包装体の斜視図（完成状態）である。
【図５】この発明の第１実施形態の棒状食品包装体をカットテープに沿って外フィルム部を引き裂いた状態を示す斜視図である。
【図６】この発明の第１実施形態の棒状食品包装体の左右に分割された包装材の一方を取り去る様子を示す正面図である。
【図７】この発明の第１実施形態の棒状食品包装体の包装材を取り去って棒状食品にシート状食品を巻いた状態を示す斜視図である。
【図８】この発明の第２実施形態の棒状食品包装体の包装材の正面図である。
【符号の説明】
【００４０】
１  包装材
１０  シート状食品
１１  包装材の本体
１１１  包装材の本体の上辺
１１２  包装材の本体の下辺
１１５  外フィルム部
１１６  内フィルム部
１１６ａ  第１片
１１６ｂ  第２片
１１７，１１８  カットテープ
１１９  開封操作片
１２ａ，１２ｂ  袖部
２  棒状食品
３  接着ラベル
【図１】
2010013160.tif 000003
【図２】
2010013160.tif 000004
【図３】
2010013160.tif 000005
【図４】
2010013160.tif 000006
【図５】
2010013160.tif 000007
【図６】
2010013160.tif 000008
【図７】
2010013160.tif 000009
【図８】
2010013160.tif 000010